(57)【特許請求の範囲】
【請求項１】
取付用板には取付面と鉛直な方向の動きを規制し取付面と略平行で取付用板の端部側の１方向に開放した係合部を設け，機器側には前記の端部側から前記係合部に挿入して嵌合する被係合部を設けるとともに機器の取付面から突出する・しないを択一的に選択保持するレバーを設け，取付用板には機器のレバーが突出した際に機器が前記の端部側に移動することを規制する規制部を取付板の端部近傍に有する取付用板と機器の取り付け構造において，前記レバーには前記機器の挿入方向に対して傾斜する面を備えたことを特徴とする取付用板と機器の取付構造。
【請求項２】
取付用板側に設けられた母線とねじ無しで接続を行うためのプラグイン端子を電源側に設けたプラグインタイプの回路遮断器であって，プラグイン端子に母線が差し込まれるように負荷側から母線の方向にスライドさせて取付用板に装着される回路遮断器の，取付面と鉛直な方向の動きを規制すべく，取付用板には係合部を設けるとともに，回路遮断器には係合部と嵌合する被係合部を設け，しかも，回路遮断器には取付面から突出する・しないを択一的に選択可能なレバーを設けるとともに，取付用板には回路遮断器のレバーが突出した際に回路遮断器が取付用板の端部側に移動することを規制する規制部を取付用板の端部近傍に有する取付用板と回路遮断器の取付構造において，前記レバーには前記回路遮断器の挿入方向に対して傾斜する面を備えたことを特徴とする取付用板と回路遮断器の取付構造。
【発明の詳細な説明】
【０００１】
【発明の属する技術分野】
本発明は機器を取付用板に取り付けるための構造に関し，特に回路遮断器を分電盤などの取付用板に容易に取り付けるための構造に関するものである。
【０００２】
【従来の技術】
従来，回路遮断器を分電盤などに設けられた取付用板に取り付ける構造としては，図１から図４（特願２０００−３３９７３３）に示すように，取付用板２に対し鉛直な方向の動きを規制しいずれか一方に開放された爪部４を取付用板に設けるとともに前記爪部４と対応し爪部とは反対方向に開放した凹部６を回路遮断器１に設け，回路遮断器１の底面から突出する・しないを外部つまみで択一的に選択可能なロックレバー７を回路遮断器に設けるとともに，取付用板には前記ロックレバーの嵌合部８を設け，ロックレバー７を底面から突出しない状態にした回路遮断器を取付用板に載置して取付用板の爪部と凹部を嵌合させた後，ロックレバーを底面から突出させて回路遮断器の抜け止めをする取付構造があった。
【０００３】
【発明が解決しようとする課題】
しかしながら図１に示すようなプラグインタイプの回路遮断器は，取付用板側に設けられた母線１１，１２とねじ無しで接続を行うためのプラグイン端子１５，１５を電源側に設けており，取付用板の上に回路遮断器を載置し，続いてプラグイン端子金具に母線が差し込まれるように負荷側（図の右方）から母線の方向にスライドさせて取付板に装着する必要がある。そのため，回路遮断器をスライドさせる前に，ロックレバー７が底面から突出していた場合には，取付用板の端面８０１にロックレバーが引っ掛かってロックレバーが折損する恐れがあった。
【０００４】
本発明は，上述の問題を解決し，取付用板には取付面と鉛直な方向の動きを規制し取付面と略平行で取付用板の端部側の１方向に開放した係合部を設け，機器側には前記の端部側から前記係合部に挿入して嵌合する被係合部を設けるとともに機器の取付面から突出する・しないを択一的に選択保持するレバーを設け，取付用板には機器のレバーが突出した際に機器が前記の端部側に移動することを規制する規制部を取付板の端部近傍に有する取付用板と機器の取り付け構造において，レバーが底面から突出したままの状態で取付用板の端部側から機器を取付ようとしたときレバーが破損する恐れがなく容易に取付ができる機器の取付用板への取付構造を提供することを目的としている。
【０００５】
【課題を解決するための手段】
そこで，本件の発明は，取付用板には取付面と鉛直な方向の動きを規制し取付面と略平行で取付用板の端部側の１方向に開放した係合部を設け，機器側には前記の端部側から前記係合部に挿入して嵌合する被係合部を設けるとともに機器の取付面から突出する・しないを択一的に選択保持するレバーを設け，取付用板には機器のレバーが突出した際に機器が前記の端部側に移動することを規制する規制部を取付板の端部近傍に有する取付用板と機器の取り付け構造において，前記レバーには前記機器の挿入方向に対して傾斜する面を備えたことを特徴とする取付用板と機器の取付構造を提供したものである。
【０００６】
また，取付用板側に設けられた母線とねじ無しで接続を行うためのプラグイン端子を電源側に設けたプラグインタイプの回路遮断器であって，プラグイン端子に母線が差し込まれるように負荷側から母線の方向にスライドさせて取付用板に装着される回路遮断器の，取付面と鉛直な方向の動きを規制すべく，取付用板には係合部を設けるとともに，回路遮断器には係合部と嵌合する被係合部を設け，しかも，回路遮断器には取付面から突出する・しないを択一的に選択可能なレバーを設けるとともに，取付用板には回路遮断器のレバーが突出した際に回路遮断器が取付用板の端部側に移動することを規制する規制部を取付用板の端部近傍に有する取付用板と回路遮断器の取付構造において，前記レバーには前記回路遮断器の挿入方向に対して傾斜する面を備えたことを特徴として取付用板と回路遮断器の取付構造を提供してもよい。
【０００７】
【発明の実施の形態】
この発明の実施例について図面を用いて以下に詳細に説明する。図１から図４は前述の回路遮断器の取付用板への取付構造を示したものである。図と本件発明の請求項の関係について説明する。２は取付用板で該取付用板の取付面と鉛直な方向の動きを規制し取付面と略平行で取付用板の端部側８０１の方向に開放した係合部４を有する。１は機器で取付面側には前記の端部８０１側から前記係合部４に挿入して嵌合する被係合部６を有するとともに機器１の取付面から突出する・しないを択一的に選択保持するレバー７を有する。
【０００８】
取付用板２には機器１のレバー７が突出した際に機器が前記の端部８０１側に移動することを規制する規制部８を取付板の端部近傍に有する。機器１の取付用板２への取り付けはすでに述べたとおりであるので説明を省略する。なお，１０は機器１の取付用板に対する位置決め用の突起，３は４と同様に端部８０１側に開放された係合部，５は３の係合部に係合する機器１側の被係合部であるが，前記係合部４の位置や６の被係合部との寸法関係を適当に選べばなくてもよい。
【００１０】
図５と図６はレバー７周辺の機器１のハウジング内の断面説明図であり，図５は本件発明実施例の図，図６は従来例の図である。図において７０２はつまみ部で指でつまんでレバー７を機器底面から突出する・しないを操作する。７０３は突出部である。１７は機器のハウジング側の突起で，レバー７の凹み部１８または１９に係合する。図５，図６ともに突出部７０３が底面から突出して保持されている状態を示しており，突起１７は凹み部１８に係合して位置を保持している。レバー７は樹脂製で若干の弾性を有しており，図の状態からつまみ部７０２を引き上げると，突起１７が凹み部１８と１９の間を乗り越えて１９側に移動して係合し突出部７０３は機器１の底面から突出しない状態になる。
【００１１】
図５の２０は本件発明のレバー７の機器の挿入方向に設けた傾斜部である。図のようにレバー７が機器１の底面から突出した状態で図１のように取付用板２に機器１を取り付けようとした際，図６のような従来例では，突出部７０３が取付用板２の端部８０１に引っ掛かって折損する恐れがあるが，図５の本件発明では，取付用板２の端部８０１が突出部に当接した際に傾斜部２０の作用により，レバー７が傾斜面の分力で自動的に突出しない状態に引っ込むことになって折損する恐れがない。係合部４が完全に被係合部６に係合後，手動でレバー７を押し下げれば，突出部７０３が規制部８内に突出して機器１の取付用板２への取り付けが完了する。したがって，レバー７の突出状態を気にすることなく取付用板に機器を挿入固定できる。
【００１２】
以上の説明において傾斜部２０の傾斜角度や形状は本件発明の範囲内で任意に変更可能である。また，実施例には回路遮断器の図を用いたが，回路遮断器以外の機器においても取付用板との関係で本件発明は適用可能である。
【００１３】
【効果】
以上のように本発明によれば，取付用板には取付面と鉛直な方向の動きを規制し取付面と略平行で取付用板の端部側の１方向に開放した係合部を設け，機器側には前記の端部側から前記係合部に挿入して嵌合する被係合部を設けるとともに機器の取付面から突出する・しないを択一的に選択保持するレバーを設け，取付用板には機器のレバーが突出した際に機器が前記の端部側に移動することを規制する規制部を取付板の端部近傍に有する取付用板と機器の取り付け構造において，レバーが底面から突出したままの状態で取付用板の端部側から機器を取付ようとしたときレバーが破損する恐れがなく容易に取付ができる機器の取付用板への取付構造を提供することを目的としている。
【図面の簡単な説明】
【図１】機器と取付用板の取り付け構造実施例の図。
【図２】同上（違う角度から見た図）。
【図３】取付用板の係合片と機器の被係合部の図。
【図４】機器のレバーを説明した図。
【図５】本件発明実施例のレバーを内装した機器の部分断面図。
【図６】従来例のレバーを内装した機器の部分断面図。
【符号の説明】
１ 機器
２ 取付用板
４ 係合部
６ 被係合部
７ レバー
２０ 傾斜部
【図１】
0004249427.tif 000002
【図２】
0004249427.tif 000003
【図３】
0004249427.tif 000004
【図４】
0004249427.tif 000005
【図５】
0004249427.tif 000006
【図６】
0004249427.tif 000007